(57)【特許請求の範囲】
【請求項１】
被調理物を収納して加熱調理するための加熱庫と、
上記加熱庫上段の左右側面に設けられ燃料ガスを燃焼する全１次空気式バーナと、
上記加熱庫内で上記バーナより下段に設けられ被調理物を載置する焼き網と、
上記加熱庫に並設されて上記加熱庫から連通し、燃焼排ガスを排出する排気室とを備え、
燃焼排ガスを上記加熱庫上部にこもらせると共に、上記排気室に通じる連通口から燃焼排ガスをあふれさせるように燃焼排気通路を形成して、被調理物を燃焼排ガスによる対流熱で加熱するグリルにおいて、
前記グリルは、上記加熱庫の天井面中央に、燃焼排ガスの整流を行う奥行き方向に沿って形成された輻射板を備えるものであり、
上記輻射板は、上記加熱庫内の前記左右のバーナより上段で、上記左右のバーナの長さ以上となるように上記加熱庫の天井の手前から奥行方向に延びるものであり、さらに、上記輻射板は、前記左右のバーナ間の中央に下方へ膨出形成され、前記焼き網上の被調理物に近づくフラット面を備えるものであり、
前記グリルは、前記燃焼排ガスが中央上方部に向けて流れ、下方へ膨出した上記輻射板で整流されて上方から下方の前記被調理物方向へ流れて対流するものであるとともに上記フラット面を備える上記輻射板で焼き網上の被調理物の中央部付近の加熱を補足して燃焼排ガスによる熱気を各部均等に分布させることによりグリルのワイド化に対処しうるようにしたことを特徴とするグリル。
【請求項２】
上記輻射板は、中央部に略平面状のフラット面を有する大きなアールの断面略円弧状に下方へ膨出して形成されていることを特徴とする請求項１に記載のグリル。
【請求項３】
上記輻射板は、中央部に平面状のフラット面を有する断面略逆台形状に下方へ膨出して形成されていることを特徴とする請求項１に記載のグリル。
【請求項４】
上記下方へ膨出した輻射板の上面を放熱防止用の断熱板で閉塞したことを特徴とする請求項１ないし３のいずれかに記載のグリル。
【発明の詳細な説明】
【０００１】
【発明の属する技術分野】
この発明は、加熱庫内で魚等の被調理物を加熱するグリルに関する。
【０００２】
【従来の技術】
従来より、加熱調理器であるガステーブルこんろにおいては、魚等の被調理物を加熱調理できるグリルを備えたタイプのものがある。こうしたグリルは、被調理物を載せる焼き網と、焼き網を載せたまま手前にスライドさせて引き出す受け皿と、燃料ガスを燃焼させて被調理物を加熱するバーナと、これらを収める加熱庫から構成される。
そして、点火操作が行われると、バーナから噴出される燃料ガスに着火して燃焼が開始され、被調理物の加熱調理中には、油脂分、すなわち、焼き油が受け皿へ落下して溜まっていく。
こうしたグリルは、焼き油がバーナの輻射熱により過熱されると発火し、その燃焼炎により被調理物が焦げてしまうばかりでなく、グリルの排気口より炎があふれてしまうことがある。そのため、受け皿には予め水を入れて焼き油による発火を防止している。
【０００３】
しかし、調理に先立って毎回、受け皿に水を入れ、調理終了時に排水することはたいへん手間がかかる。しかも、受け皿に水を入れるのを忘れたり、繰り返し長時間使用して水が蒸発してしまった場合には、受け皿に溜まった焼き油がバーナの輻射熱で過熱され発火してしまうことがある。
そこで、本出願人は受け皿に水がなくても焼き油の焦げ付きや発火が防止できる構成のものを先に出願している。
すなわち、図８及び図１０に示されているように、加熱庫７の中心方向に対向するバーナ１３、１３の燃焼面が被調理物を直接輻射しないようにやや上方に向けられると共に、排気室１７に通ずる連通口１６が焼き網９より下方に設けられ、下方の受け皿１０に溜まった焼き油への輻射加熱を低減しつつ加熱庫７内に高温の燃焼排ガスをこもらせて被調理物１２を加熱するようにした、いわゆる水無しグリルである。この構成のものは焼き油の温度を発火点以下に下げることができるものである。
【０００４】
しかしながら、このように加熱庫７の側方から中心方向に対向するバーナ１３、１３を配置すると、バーナ１３、１３からの離隔距離に比例して中央部であるほど被調理物への加熱温度が低くなる。たとえば、焼き網９上に並べた魚等の被調理物１２のうち中央部の被調理物１２の表面が左右の被調理物１２の表面と比較して５０℃〜７０℃ほど低くなってしまい、中央と左右とで焼き加減が異なる焼きむらが生ずることがあった。
そこで、本出願人は加熱庫７内の温度分布を改善し、焼き網９上に並べられた被調理物１２を各部均等に焼き上げることができる構成のものを先に出願している。
すなわち、図９に示されているように、加熱庫７の天井面中央に下向き傾斜面を左右に形成した断面路Ｖ字状の排気ガイド部２を奥行き方向に沿って設けることにより、左右バーナ１３、１３から噴出する燃焼排ガスを加熱庫７の上部にこもらせながら、燃焼排ガスの流れの方向がＶ字状の排気ガイド部２の傾斜面により下方に導かれ、傾斜面から離れている燃焼排ガスもこの流れに連れて下方に流れるため、燃焼排ガスは被調理物１２の全体へ均一な流れとなり、燃焼排ガスに接触する被調理物１２を均一に加熱する。つまり、被調理物１２に接触する燃焼排ガスの流れが均一になり被調理物１２は均一な温度分布のもとに加熱される。
したがって、被調理物１２はバーナの輻射熱によらないで、均一に対流する高温の燃焼排ガスに包まれて加熱調理されるため、被調理物１２が美味しく焼き上がるものである。なお、バーナ１３、１３は全１次空気式なので、燃焼排ガスが加熱庫７内に充満しながら対流しても燃焼を行うことができる。
【０００５】
【発明が解決しようとする課題】
しかし、最近ではグリルのワイド化が進み、上記燃焼排ガスの流れの方向をＶ字状の排気ガイド部の傾斜面で下方へ導くだけでは、依然として中央部に至るに従い被調理物への加熱温度が低くなり、グリルのワイド化には対処できないという問題点があった。
そこで、この発明のグリルは、上記課題を解決し、高温燃焼排ガスの対流熱とバーナからの輻射熱及び天面からの燃焼排ガスによる輻射熱の３者により被調理物を加熱すると同時に燃焼排ガスによる中央部の輻射熱を増大させてグリルのワイド化にともなう中央部付近の焼き不足の解消を図ったグリルの提供を目的としている。
【０００６】
【課題を解決するための手段】
上記課題を解決するこの発明の請求項１記載のグリルは、
被調理物を収納して加熱調理するための加熱庫と、
上記加熱庫上段の左右側面に設けられ燃料ガスを燃焼する全１次空気式バーナと、
上記加熱庫内で上記バーナより下段に設けられ被調理物を載置する焼き網と、
上記加熱庫に並設されて上記加熱庫から連通し、燃焼排ガスを排出する排気室とを備え、
燃焼排ガスを上記加熱庫上部にこもらせると共に、上記排気室に通じる連通口から燃焼排ガスをあふれさせるように燃焼排気通路を形成して、被調理物を燃焼排ガスによる対流熱で加熱するグリルにおいて、
前記グリルは、上記加熱庫の天井面中央に、燃焼排ガスの整流を行う奥行き方向に沿って形成された輻射板を備えるものであり、
上記輻射板は、上記加熱庫内の前記左右のバーナより上段で、上記左右のバーナの長さ以上となるように上記加熱庫の天井の手前から奥行方向に延びるものであり、さらに、上記輻射板は、前記左右のバーナ間の中央に下方へ膨出形成され、前記焼き網上の被調理物に近づくフラット面を備えるものであり、
前記グリルは、前記燃焼排ガスが中央上方部に向けて流れ、下方へ膨出した上記輻射板で整流されて上方から下方の前記被調理物方向へ流れて対流するものであるとともに上記フラット面を備える上記輻射板で焼き網上の被調理物の中央部付近の加熱を補足して燃焼排ガスによる熱気を各部均等に分布させることによりグリルのワイド化に対処しうるようにしたことを要旨とする。
【０００７】
上記課題を解決するこの発明の請求項２記載のグリルは、上記請求項１記載のグリルにおいて、
上記輻射板は、中央部に略平面状のフラット面を有する大きなアールの断面略円弧状に下方へ膨出して形成されていることを要旨とする。
【０００８】
上記課題を解決するこの発明の請求項３記載のグリルは、上記請求項１記載のグリルにおいて、
上記輻射板は、中央部に平面状のフラット面を有する断面略逆台形状に下方へ膨出して形成されていることを要旨とする。
【０００９】
上記課題を解決するこの発明の請求項４記載のグリルは、上記請求項１ないし３のいずれかに記載のグリルにおいて、
上記下方へ膨出した輻射板の上面を放熱防止用の断熱板で閉塞したことを要旨とする。
【００１０】
上記構成を有するこの発明の請求項１記載のグリルは、左右バーナから噴出する燃焼排ガスを加熱庫上部にこもらせながら対流する高温燃焼排ガスの対流熱とバーナからの直接の輻射熱及び燃焼排ガスで加熱される輻射板からの輻射熱とで焼き網上の被調理物は加熱されるが、下方へ膨出した輻射板の中心フラット面により燃焼排ガスによる中央部の輻射熱を増大させ、このフラット面が被調理物に接近していることと相まって燃焼排ガスによる熱気を中央部にまで均等に分布する。
したがって、グリルがワイド化されても燃焼排ガスは天面の輻射板で整流され、この整流された燃焼排ガスによる加熱は被調理物全体へ均一に作用し、被調理物は均一な温度分布のもとに加熱され焼きむらが生ずることはない。
【００１１】
上記構成を有するこの発明の請求項２記載のグリルは、輻射板が中心部に略平面状のフラット面を有する大きなアールの断面略円弧状に下方へ膨出して形成されているから、左右バーナからの燃焼排ガスの整流及びフラット面による輻射熱の中央部への集中増大が効果的に行いうる。この結果、グリルがワイド化されても被調理物は燃焼排ガスの対流熱、バーナからの輻射熱の３者が相まって均一な温度分布のもとに加熱され焼きむらが生ずることはない。
【００１２】
上記構成を有するこの発明の請求項３記載のグリルは、輻射板の膨出部が中心部に平面状のフラット面を有する断面略逆台形状に下方へ膨出して形成されているから、左右バーナからの燃焼排ガスの整流及びフラット面による輻射熱の中央部への集中増大が効果的に行いうる。この結果、グリルがワイド化されても被調理物は燃焼排ガスの対流熱、バーナからの輻射熱と相まって均一な温度分布のもとに加熱され焼きむらが生ずることはない。
【００１３】
上記構成を有するこの発明の請求項４記載のグリルは、下方へ膨出された輻射板の上面を放熱防止用の断熱板で閉塞したので、中間空気層の存在と相まって熱が上方外部へ逃げるのを防ぐ。この結果、輻射効果は著しく向上する。
【００１４】
【発明の実施の形態】
以上説明したこの発明の構成、作用を一層明かにするために、以下この発明のグリルについて好適な実施の形態を説明する。
【００１５】
図１０は、グリル付きガステーブルこんろの外観斜視図を示している。
テーブルこんろは、トッププレート３に２組のこんろバーナ４ａ、４ｂが設けられ、それらの上面周囲に設けられた五徳５ａ、５ｂ上に調理鍋（図３の６ａ参照）を載せ、テーブルこんろの前面パネルに設けられた操作ボタン２０ａ、２０ｂをプッシュ操作することによりそれぞれのこんろバーナ４ａ、４ｂが点火され、五徳５ａ、５ｂ上の調理鍋が加熱されるものである。
【００１６】
また、上記こんろバーナ４ａ、４ｂ間に、魚等の被調理物１２を焼くためのグリル１が設けられ、操作ボタン２０ｃをプッシュ操作して加熱調理が行われる。
上記グリル１は、ガステーブルこんろのこんろバーナ４ａ、４ｂ間に設けられ加熱庫７を備え、この加熱庫７内で魚等の被調理物１２を加熱調理する。
図３に示されているように、加熱庫７内には上段の左右側面に燃料ガスを燃焼させて被調理物１２を加熱する表面燃焼式のバーナ１３、１３を備え、中段下面には被調理物１２を載せる焼き網９を備え、下段に上記焼き網９を載せたまま前後にスライドさせて引き出し及び収納ができる受け皿１０が設けられている。
【００１７】
上記加熱庫７の背部には仕切壁１６ａを介して並設され、上方に開口した排気口３１を有する排気室１７が設けられ、この仕切壁１６ａの下部に開口して加熱庫７と連通する連通口１６が設けられ、この連通口１６は焼き網９における被調理物１２の載置面より低い位置に開口している。
【００１８】
すなわち、焼き網９における被調理物１２の載置面と連通口１６の上端位置との位置関係は、被調理物１２の周囲の燃焼排ガスの雰囲気が被調理物１２に着火しない酸素濃度となるように設定される。つまり、被調理物１２の載置面を連通口１６の位置より上方に設けると、燃焼排ガスが加熱庫７内にこもって被調理物１２を包み被調理物１２の周囲の酸素濃度が低くなる。そこで、被調理物１２の載置面における酸素濃度が１５％Ｏ２濃度以下となるように、バーナ１３、１３、焼き網９、連通口１６の位置関係が設定される。
【００１９】
上記加熱庫７の正面中央には受け皿１０と一体的に固定され受け皿１０の出し入れを行う取手６と、受け皿１０の出し入れ時に連動して開閉する開閉扉８とが設けられ、取手６を手前に引き出すと、取手６と一体の受け皿１０が加熱庫７の底面をスライドし受け皿１０に載置された焼き網９とともに引き出され同時に開閉扉８が開放される。反対に受け皿１０を収納すると同時に開閉扉８は閉じられる。また、加熱庫７の手前の底面には外部空気が進入して受け皿１０を冷却する空気取入口１１が設けられる。
【００２０】
バーナ１３、１３は多孔質セラミックスの平面プレートに無数の小炎口を貫通させた燃焼面を有する全１次空気式のものが用いられ、その燃焼面が垂直面に対して約１０度上方向に傾斜され、加熱庫７の上方左右側面に設けられる。また、燃料ガスに着火する点火用電極１３ａの放電部１３ｂは、バーナ１３を固定する固定板兼用の放電板１３ｃに噴出する燃料ガスを横切って放電するように設けられる。
【００２１】
上記加熱庫の天井には、図１及び図２に示されているように、グリルのワイド化に対処するための燃焼排ガスの整流を兼備する輻射板２が設けられる。この輻射板２は中心部に略平面状のフラット面２ａを有する大きなアールの断面略円弧状に下方へ膨出して形成するほか（図１参照）、中心部に平面状のフラット面２ａを有する断面略逆台形状に下方へ膨出して形成したもの（図２参照）などを用いて燃焼排ガスにより加熱されるフラット面２ａからの輻射熱で中央部を集中的に加熱することにより、高温燃焼排ガスの対流熱ｂ、バーナ１３、１３からの輻射熱ｃと相まって焼き網９上の被調理物１２の各部が均等に加熱される。
上記輻射板２は加熱庫７内のバーナ１３、１３より上段で左右のバーナ１３、１３間の中央に下方へ膨出形成され、その中心部のフラット面２ａは焼き網９上の被調理物１２の中央部分に近づく。このため、加熱庫７の大きさ、ガス消費量、バーナ１３、１３の傾き、連通口１６の位置と大きさとにより、輻射板２の膨出形状、フラット面２ａの横幅ｌ及び被調理物１２との間隔等が適切に設定される。たとえば、フラット面２ａの横幅ｌは加熱庫７の横幅が２３０ｍｍ〜２５０ｍｍの場合、約５０ｍｍ程度とするのが好ましく、輻射板２はバーナ１３、１３の長さ以上となるようにバーナ１３、１３と平行に加熱庫７の天井の手前から奥行方向に設けられる（図３参照）。また、輻射板２としては、熱伝導がよく輻射効率のよい銅板、アルミメッキ鋼板を使用するのが望ましい。
【００２２】
上記輻射板２の上面を図６及び図７に示されているように、放熱防止用の断熱板２ｂで閉塞すると、空間ｄの空気層の存在と相まって無駄な放熱がなくなる。したがって、フラット面２ａからの輻射効率は向上する。なお、必要な場合は上記空間ｄに断熱材を介在させてもよい。
【００２３】
上記構成において、高温の燃焼排ガスによる熱気の分布状態について説明する。
先ず、点火操作により両側方のバーナ１３、１３から噴出される燃料ガスに点火されて燃焼が開始されると、高温の燃焼排ガスは加熱庫７の上部に溜まり、下方の連通口１６へあふれて排気室１７へ流入し、ドラフト効果により排気室１７内を上昇して排気口３１から器外に排出される。燃焼がこのまま続けられると、燃焼排ガスはドラフト力と燃料排ガスの噴出力とによって中央上方部に向けて流れ、下方へ膨出した輻射板２で整流されて上方から下方の被調理物１２の方向へ流れて対流する。この燃焼排ガスの対流熱ｂで被調理物１２の略全体を加熱するが、ワイドの場合は被調理物１２の中央部付近の焼けがうすい。
そこで、上記燃焼排ガスで加熱される輻射板２の中心フラット面２ａからの輻射熱ａにより被調理物１２の中央部分を加熱し、加えて、バーナ１３、１３からの輻射熱ｃでも被調理物１２の略中央部分までを加熱する（図１、２及び図６、７参照）。
このため、高温の燃焼排ガスの対流熱ｂとバーナ１３、１３からの輻射熱ｃ及び輻射板２のフラット面２ａからの輻射熱ａの３者をもって被調理物１２の全体を均一に加熱する。したがって、グリルのワイド化による被調理物１２の中央部付近の焼不足は解消される。
【００２４】
なお、このバーナ１３、１３は燃焼に必要な空気のすべてを１次空気として供給する全１次空気式バーナであるので、加熱庫７が燃焼排ガスで充満しても良好な燃焼を維持し、また、バーナ１３、１３は上方向に傾斜されているため、被調理物１２、受け皿１０に溜まった焼き油への輻射加熱は弱くなる。しかも、同時にドラフト効果により加熱庫７の手前下部の空気取入口１１から外部の新鮮な空気が吸引され、受け皿１０を冷却して後方の連通口１６から排出されるため、受け皿１０に水を入れなくても受け皿１０上に落下した被調理物１２の焼き油が過熱により発火することはない。
【００２５】
上述したように焼き網９上の被調理物１２は燃焼排ガスの対流熱ｂを主流とし、その不足分を輻射板２のフラット面２ａからの輻射熱ａで補足して燃焼排ガスによる熱気をバーナ１３、１３からの輻射熱ｃと相まって各部均等に分布させ、グリルのワイド化に対処しうるようにしたものである。
したがって、焼き魚は勿論のこと、グラタン、ピザ等の冷凍食品の調理や、天ぷら、揚げ物の再加熱に至るまでワイドグリルで各部均一に調理できる。
さらに、被調理物１２の加熱を主として燃焼排ガスをこもらせた対流熱と燃焼排ガスで加熱されるフラット面２ａからの輻射熱とで行うため、燃焼排ガス中の熱量を効率よく利用することができ、グリルのガス消費量を従来の１／２にすることができ、しかも、加熱庫７内を効率的に加熱し、受け皿１０の温度を低くおさえることができ、受け皿１０に水を入れる必要がなくなって取扱い上便利、かつ、安全である。また、受け皿１０から加熱庫７内に水が蒸発しないため、被調理物１２はカリッとこんがり焼き上がり、焼き時間も従来と変らず、焼き上がりが一段と美味しくなる。さらに、受け皿１０の温度を低くすることができるため、受け皿１０の表面処理をホーローから掃除の容易なフッ素コーティングにすることができる。
【００２６】
以上この発明の実施の形態について説明したが、この発明はこうした実施の形態に何等限定されるものではなく、この発明の要旨を逸脱しない範囲において種々なる形態で実施しうること勿論である。
たとえば、実施の形態では、輻射板２を中心部に略平面状のフラット面２ａを有する大きなアールの略円弧状又は中心部に平面状のフラット面を有する略逆台形状としたが、その他燃焼排ガスの整流作用を有する任意の膨出形状としてもよい。また、両面焼グリルにも適用できること勿論である。
【００２７】
【発明の効果】
この発明は、以上説明したような形態で実施され、以下に記載されるような効果を奏する。
【００２８】
この発明の請求項１記載のグリルによれば、高温燃焼排ガスの対流熱とバーナからの直接の輻射熱及び燃焼排ガスで加熱される輻射板からの輻射熱とで被調理物の各部を均等に加熱するから、グリルがワイド化されても被調理物は均一な温度分布のもとに加熱され焼きむらが生ずることはない。
【００２９】
この発明の請求項２記載のグリルによれば、中心部にフラット面を有する下方に膨出した断面略円弧状の輻射板としたから、燃焼排ガスの整流とフラット面からの輻射熱の中央部への集中増大が効果的に行いうる。
【００３０】
この発明の請求項３記載のグリルによれば、中心部にフラット面を有する下方に膨出した断面略逆台形状の輻射板としたから、燃焼排ガスの整流とフラット面からの輻射熱の中央部への集中増大が効果的に行いうる。
【００３１】
この発明の請求項４記載のグリルによれば、下方へ膨出した輻射板の上面を断熱板で閉塞したから、無駄な放熱が防止されるために輻射効率は向上する。
【００３２】
以上詳述したように、この発明のグリルはグリルのワイド化に十分対処しうるものである。
【図面の簡単な説明】
【図１】この発明のグリルの一例を示した切断正面図である。
【図２】輻射板の形状を異にする同切断正面図である。
【図３】同切断側面図である。
【図４】輻射板だけの一例を示した斜視図である。
【図５】異なる形状とした輻射板の斜視図である。
【図６】輻射板の上面を閉塞した場合の一例を示した切断正面図である。
【図７】形状を異にする輻射板の上面を閉塞した場合の切断正面図である。
【図８】従来一般に使用されているグリルの概略断面図である。
【図９】出願人が先に出願したグリルの概略断面図である。
【図１０】テーブルこんろの外観斜視図である。
【符号の説明】
１…グリル
２…輻射板
２ａ…フラット面
７…加熱庫
９…焼き網
１０…受け皿
１２…被調理物
１３…バーナ
１６…連通口
１７…排気室
【図１】
0004203178.tif 000002
【図２】
0004203178.tif 000003
【図３】
0004203178.tif 000004
【図４】
0004203178.tif 000005
【図５】
0004203178.tif 000006
【図６】
0004203178.tif 000007
【図７】
0004203178.tif 000008
【図８】
0004203178.tif 000009
【図９】
0004203178.tif 000010
【図１０】
0004203178.tif 000011